(57)【要約】【課題】枠体を基本として少ない部材で軽量であるにもかかわらず剛性を担保することが可能であり、かつ組立工程の削減を図ることが可能なミラーキャビネットを提供することを目的としている。【解決手段】本発明にかかるミラーキャビネットは、枠体２４０と、枠体２４０の前面に配置された１以上の鏡と、鏡の上部を支持する梁３００と、鏡の上方かつ枠体２４０の内側に配置された照明機器３６０と、照明機器３６０を支持する板状の照明ベース３４０と、を備え、照明ベース３４０を枠体２４０の上枠２４０ａおよび梁３００と接合することにより、剛体部３８０を形成していることを特徴とする。【選択図】図３
2011000337.tif 000002
【特許請求の範囲】
【請求項１】
枠体と、
前記枠体の前面に配置された１以上の鏡と、
前記鏡の上部を支持する梁と、
前記鏡の上方かつ前記枠体の内側に配置された照明機器と、
前記照明機器を支持する板状の照明ベースと、
を備え、
前記照明ベースを前記枠体の上枠および前記梁と接合することにより、剛体部を形成していることを特徴とするミラーキャビネット。
【請求項２】
前記照明ベースは、前記鏡と平行な前側平面部と、該前側平面部から屈曲して前記上枠または前記梁に面接触する屈曲接合部とを備えていることを特徴とする請求項１に記載のミラーキャビネット。
【請求項３】
前記上枠と前記梁は同一断面形状の押出成形材であることを特徴とする請求項１に記載のミラーキャビネット。
【請求項４】
前記上枠および前記梁は同一断面形状の押出成形材であって、
前記上枠および前記梁は断面形状において略四角から１つの角が後退した段部を有し、
前記梁においては前記段部を背面側に配置して該段部に背板を接合し、
前記上枠においては前記段部を前面側に配置して該段部に前記照明ベースを接合し、
前記照明ベースは前記上枠の段部に前記前側平面部の一辺を接合し、前記梁に前記屈曲接合部を接合していることを特徴とする請求項２に記載のミラーキャビネット。
【請求項５】
前記上枠および前記梁は樹脂製の押出成形材であって、前記照明ベースは金属製であることを特徴とする請求項１に記載のミラーキャビネット。
【発明の詳細な説明】
【技術分野】
【０００１】
本発明は、洗面化粧台に洗面カウンターと共に設置されるミラーキャビネットに関するものである。
【背景技術】
【０００２】
従来から、浴室に隣接して設けられる脱衣所等には、洗面化粧台が設置されている。この洗面化粧台は、大別すれば洗面カウンターとその上部に備えられたミラーキャビネットから構成される。洗面カウンターは排水口と洗面ボウルと吐水部とを基本構成として備え、洗面ボウルを利用した洗面や手洗いをするための洗面台としての機能を有する。
【０００３】
ミラーキャビネットは、前面に鏡と、当該鏡を支持する基体とを基本構成として備え、鏡に使用者の顔や髪を映し、化粧や整髪等を行うためのドレッサとしての機能を有する。
【０００４】
ミラーキャビネットの基体は、さらに使用者の利便性のため、蛍光灯などの照明機器、これを操作するためのスイッチ、ドライヤー等に電力供給するための電源コンセントが設けられ、また石鹸、歯ブラシあるいは化粧品等を載置するための棚等の収納部を設けられている。このため、基体はある程度の凹凸形状を形成している場合が多い。この凹凸形状の加工のしやすさから、従来の基体は合成樹脂材料にて形成されることが多く、例えば特許文献１のように、合成樹脂を真空成形法により製造する場合が多い。
【０００５】
基体の他の構造としては、柱や桟によって枠体を構成し、枠体に鏡や表面パネルを取り付けた構造が多く採用されている。
【先行技術文献】
【特許文献】
【０００６】
【特許文献１】特開平０５−１６１５５７号公報
【特許文献２】特開平０６−２８４９３３号公報
【発明の概要】
【発明が解決しようとする課題】
【０００７】
しかし、真空成型法によって成形される基体は、１個の成形型で１種類の基体しか成形できない。このため、同じモデルであってもミラーキャビネットのサイズが異なるごとに金型を準備しなくてはならない。金型はキャビネットの生産工程において最も高価かつ大がかりな設備であるため、多くのサイズに対応させると生産コストの高騰を招いてしまうおそれがある。
【０００８】
一方、柱や桟によって枠体を構成した場合には、ゆがみやねじれに対する強度の問題が生じる。ミラーキャビネットは壁面に設置されるものであるから通常使用時において荷重がかかる機会は少ないが、比較的重量のある鏡を支えるものであり、また施工時や経年使用時においても変形を防止するために、ある程度の強度は要求される。枠体において強度を向上させるためには、梁を増やしたり隅部に三角部材を取り付けたりする必要があり、組立工程が増加するという問題がある。また部材が増えることによって重量が増加し、壁面に取り付ける際の制約が大きくなったり、壁面を補強するための工程が増えたりするおそれがある。特にミラーキャビネットが大きなサイズとなった場合にこの問題は顕著となる。
【０００９】
そこで本発明は、枠体を基本として少ない部材で軽量であるにもかかわらず剛性を担保することが可能であり、かつ組立工程の削減を図ることが可能なミラーキャビネットを提供することを目的としている。
【課題を解決するための手段】
【００１０】
上記課題を解決するために、本発明にかかるミラーキャビネットの代表的な構成は、枠体と、枠体の前面に配置された１以上の鏡と、鏡の上部を支持する梁と、鏡の上方かつ枠体の内側に配置された照明機器と、照明機器を支持する板状の照明ベースと、を備え、照明ベースを枠体の上枠および梁と接合することにより、剛体部を形成していることを特徴とする。
【００１１】
上記構成によれば、形成された剛体部によって、少ない部材でも枠体の強度を向上させることができ、かつ組み立て工程の削減を図ることが可能である。
【００１２】
照明ベースは、鏡と平行な前側平面部と、前側平面部から屈曲して上枠または梁に面接触する屈曲接合部とを備えるとよい。
【００１３】
上記構成によれば、照明ベースと、上枠または梁との接合強度が向上する。また照明ベースを屈曲させることにより、照明ベースの曲げ剛性が高くなるため、剛体部の剛性をさらに向上させることが可能である。
【００１４】
上枠と梁は同一断面形状の押出成形材であるとよい。これにより、鏡の上辺と照明の下の梁とが共通部材となるため、コスト削減の効果がある。
【００１５】
上枠と梁は同一断面形状の押出成形材であって、押出成形材は断面形状において略四角から１つの角が後退した段部を有し、梁においては段部を背面側に配置して段部に背板を接合し、上枠においては段部を前面側に配置して段部に照明ベースを接合し、照明ベースは上枠の段部に前側平面部の一辺を接合し、梁に屈曲接合部を接合するとよい。
【００１６】
この場合においても、鏡の上辺と照明の下の梁とが共通部材となるためコスト削減が可能である。また、段部によって上枠に鏡と平行な面を形成することにより、照明ベースの屈曲加工を最小限とすることができるため生産コストがさらに低減できる。さらに、共通部材である上枠と梁を前後逆にして取り付けていることにより、照明ベースと同様に鏡と平行な面を有する背板を段部に接合することができ、部材の共通化を図りつつ枠体の強度を向上させることが可能となる。
【００１７】
上枠および梁は樹脂製の押出成形材であって、照明ベースは金属製であるとよい。照明ベースが金属製であることにより、剛体部の剛性が担保されることから上枠や梁が樹脂製であってもよく、そして枠体に安価な樹脂製の押出成形材を用いることにより生産コスト低減が可能となる。
【発明の効果】
【００１８】
本発明によれば、枠体を基本として少ない部材で軽量であるにもかかわらず剛性を担保することが可能であり、かつ組立工程の削減を図ることが可能なミラーキャビネットを提供することができる。
【図面の簡単な説明】
【００１９】
【図１】洗面化粧台の斜視図である。
【図２】枠体の分解斜視図である。
【図３】剛体部の断面図である。
【図４】剛体部の効果を説明する模式図である。
【図５】背板の取付図である。
【図６】他の実施形態にかかるミラーキャビネットの断面図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
図１は、本実施形態にかかる洗面化粧台の斜視図である。本実施形態においてミラーキャビネットは三面鏡の構成である。図１（ａ）は洗面化粧台１００の外観斜視図である。洗面化粧台１００は、ミラーキャビネット２００と、洗面カウンター４００とから構成されている。
【００２２】
洗面カウンター４００は、湯水を供給する水栓４２０と排水口４６０を備えた洗面ボウル４４０とを備えている。また、洗面ボウル４４０の下方には引出４８０が設けられている。
【００２３】
ミラーキャビネット２００は、枠体２４０と、三面鏡２８０と、これら三面鏡２８０を支持する梁３００とを備える。三面鏡２８０の主鏡２８０ａは、使用者が水栓４２０や洗面ボウル４４０と同時に使用できるように、これらと対応する左右位置に配置されている。そして主鏡２８０ａの両脇に袖鏡２８０ｂが配置される。
【００２４】
三面鏡２８０の主鏡２８０ａ、袖鏡２８０ｂは、枠体２４０の下枠２４０ｂおよび梁３００に設けられた複数のヒンジ（図示せず）にそれぞれ接続されている。これにより、各鏡は開閉自在に構成され、後述する収納スペースの扉としての役割も果たす。
【００２５】
図１（ｂ）は、ミラーキャビネット２００のＡ−Ａ断面図である。図１（ｂ）に示すように、枠体２４０と三面鏡２８０と梁３００と背板２６０は箱形構造を形成し、内部に空間が構成される。この空間は、収納スペースとして利用可能となっている。
【００２６】
図１（ｂ）に示すように、収納トレイ２４４は、収納スペース内に設けられる。収納トレイ２４４は、その内部に物品を収容するための天面が開口した容器であり、背板２６０に係止されている。これにより、洗面や歯磨き等に供する物品を収納トレイ２４４上に載置することが可能であるので、利便性が向上する。
【００２７】
図２は本実施形態にかかる枠体の分解斜視図である。図２に示すように、枠体２４０は、枠体２４０の上枠２４０ａおよび下枠２４０ｂ、横枠２４０ｃで構成される。上枠２４０ａおよび下枠２４０ｂ、横枠２４０ｃは、キャップ部材２４０ｄを介して接合している。さらに、枠体２４０の内側に、梁３００を接合部材２４０ｅを介して接合している。
【００２８】
上枠２４０ａおよび下枠２４０ｂは、押出成形法で成形された長尺部材を当該ミラーキャビネット２００の横幅に合わせて切断することで製造され、枠体２４０の四周の上面および下面を構成する。横枠２４０ｃは、押出成形法で成形された長尺部材を当該ミラーキャビネット２００の縦幅に合わせて切断することにより製造され、枠体２４０の四周の両側面を構成する。
【００２９】
このように、当該ミラーキャビネット２００の枠体２４０の四周を、押出成形法で成形した上枠２４０ａおよび下枠２４０ｂ、横枠２４０ｃから構成することで、長尺部材を切断する長さを変更するだけで、枠体２４０を構成する上枠２４０ａおよび下枠２４０ｂ、横枠２４０ｃの全てを同一の金型により製造することができる。同様に長尺部材の切断位置を変えるだけで、サイズが異なるミラーキャビネットの枠体を構成する押出成形材を製造することが可能となる。すなわち、複数サイズのミラーキャビネットの押出成形材を製造するための金型を共通のものとすることができる。これにより、ミラーキャビネットの生産に必要な金型の数を減らし、生産コストの削減を図ることができる。
【００３０】
枠体２４０は、さらに、三面鏡２８０の上方、すなわち梁３００の上部かつ枠体２４０の内側に照明ベース３４０を備える。照明ベース３４０の前面には、照明機器３６０と、照明機器３６０を覆うように照明カバー２２０が着脱可能に取り付けられている。
【００３１】
図３は、本実施形態にかかる剛体部の断面図である。剛体部３８０は、照明ベース３４０と上枠２４０ａおよび梁３００とで形成される。その構成の詳細を図３を用いて説明する。
【００３２】
図３に示すように、上枠２４０ａと梁３００の断面形状は、略四角から１つの角が後退した段部３２０を有した形状となっている。段部３２０によって上枠２４０ａに三面鏡２８０と平行な面を形成する。上枠２４０ａと梁３００は同一断面形状の押出成形材であって、梁３００においては段部３２０が背面側に向けて配置されている。
【００３３】
図３に示すように、照明ベース３４０は、三面鏡２８０と平行となる前側平面部３４０ａと、前側平面部３４０ａから屈曲して梁３００に面接触する屈曲接合部３４０ｂとで構成される。すなわち照明ベース３４０は、断面Ｌ字形状である。照明ベース３４０を屈曲させたことで、照明ベース３４０の曲げに対する強度が増加する。
【００３４】
上枠２４０ａでは、段部３２０を前面側に配置して、段部３２０に前側平面部３４０ａの一辺をネジ２４２を用いて締結固定する。梁３００側は、屈曲接合部３４０ｂを梁３００の上面に締結固定する。なお、本実施形態においては、ネジ２４２を木ネジとして図示しているが、照明ベース３４０を締結できる締結部材であればよく、ボルト等を用いて代用することも可能である。
【００３５】
この構成により、上枠２４０ａ、照明ベース３４０、梁３００からなる剛体部３８０の断面形状は、略Ｈ形状となる。このＨ形状の構造により、剛体部３８０の断面二次モーメントが増加し、剛体部３８０の傾斜方向（剪断方向）の剛性が向上する。剛体部３８０が高い剛性を持つことで、枠体２４０全体の傾斜方向の剛性も向上することとなる。
【００３６】
このため枠体２４０は、ゆがみや傾きの生じない強固な構造となる。したがって、少ない部材でも枠体２４０の強度を向上させることができ、かつ組み立て工程の削減を図ることが可能である。
【００３７】
図４は、剛体部３８０の効果を説明する模式図である。図４（ａ）は剛体部３８０が存在しない比較例、図４（ｂ）は剛体部３８０を有する実施例を示す。枠体２４０を単に縦横の押出成形材で構成すると、枠体２４０はトラス構造となる。このため斜変形に弱く、図４（ａ）に示すように、横方向の応力がかけられたときにゆがみや傾きが生じるおそれがある。
【００３８】
このゆがみや傾きを防止するためには、単純には、枠体２４０の隅に三角コーナーを取り付けたり、枠体２４０の対角にブレース部材を取り付けたりすることが考えられる。しかし三角コーナーを設けた場合では、部材点数が増加してしまううえ、端部で支持しても剛性は向上しにくい。また、ブレース部材を設けた場合は、収納スペース内に斜めにブレース部材が存在することとなり、背板の裏側に配置すれば収納スペースが減少し、背板の前側に配置すれば使用者に見えてしまうから美観を損ねてしまう。
【００３９】
これに対し、本実施形態の構成によれば、剛体部３８０が高い剛性を有していることから、図４（ｂ）に示すように、これに横枠２４０ｃと下枠２４０ｂを連結した枠体全体も、斜変形に対して強くなる。したがって枠体２４０の運搬時や設置時、三面鏡２８０の取り付け時にも枠体２４０は正しい形状を維持し、また経年変化に対してもゆがみや傾きを防止することができる。
【００４０】
また、照明ベース３４０が金属製であることで、剛体部３８０の剛性が担保されることから、枠体２４０および梁３００が樹脂製であってもよい。そして梁３００に枠体２４０と同一断面形状の安価な樹脂製の押出成形材を用いることにより、生産コスト低減が可能となる。
【００４１】
なお上記の段部３２０は、背板２６０の取り付けにも利用している。図５は背板２６０の取付図である。図５に示すように、上枠２４０ａと梁３００は、前後逆にして取り付けている。さらに下枠２４０ｂおよび横枠２４０ｃは梁３００と同方向に段部３２０があるように取り付けている。このため、梁３００、下枠２４０ｂおよび横枠２４０ｃは、照明ベース３４０と同様に段部３２０に背板２６０を当接させることができる。すなわち、段部３２０によって枠体２４０に背板２６０がはまり込むように四周の溝が形成される。この構成により、組み立ての際に、枠体２４０と背板２６０との位置合わせが容易となり、作業コストの削減に寄与する。
【００４２】
すなわち、上枠２４０ａの段部３２０は照明ベース３４０の位置決めを行い、梁４００、下枠２４０ｂ、横枠２４０ｃの段部３２０は背板２６０の位置決めを行う。このように、上記構成の段部３２０を有する押出成形材を用いることにより、共通の（同一断面形状の）材料を用いつつ、２つの平面部材（照明ベース３４０と背板２６０）を簡易にかつ確実に取り付けることができる。したがって、機能向上とコスト低減の両立を図ることができる。
【００４３】
（他の実施形態）
上記実施形態においては、照明ベース３４０を断面Ｌ字形状とし、屈曲させていない辺を上枠２４０ａの段部３２０に接合するよう説明した。しかし本発明はこれに限定するものではなく、上枠２４０ａと梁４００とを適切に接合し、剛体部３８０を構成しうるものであればよい。
【００４４】
図６は、他の実施形態にかかるミラーキャビネット２００の断面図である。図６（ａ）はミラーキャビネット２００全体の断面図、図６（ｂ）は剛体部６００の断面図である。図６（ａ）に示すミラーキャビネット２００において、上枠６２０ａ、下枠６２０ｂ、梁６４０は段部を有しておらず、断面がほぼ矩形の押出成形材である。そして照明ベース６６０は、断面コの字形状をなしている。
【００４５】
図６（ｂ）に示すように、照明ベース６６０は、鏡と平行となる前側平面部６６０ａと、前側平面部６６０ａから屈曲して上枠６２０ａまたは梁６４０に面接触する２つの屈曲接合部６６０ｂとで構成される。
【００４６】
剛体部６００の断面形状は、図３で示した剛体部３８０と同様に、略Ｈ形状となる。このＨ形状の構造により、剛体部６００の断面二次モーメントが増加し、剛体部６００の剛性が向上する。剛体部６００が高い剛性を持つことで、枠体全体の剛性も向上する。
【００４７】
上記のように照明ベース６６０を断面コの字形状に屈曲させたことで、照明ベース６６０の曲げに対する強度は、断面Ｌ字形状の照明ベース３４０よりも高くなる。またさらに、上枠６２０ａおよび梁６４０の両面がフラット、すなわち単純な中空の板形状となったことで、汎用部材を利用することができるため、生産コスト削減に寄与している。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
なお、本実施形態においてはミラーキャビネットは三面鏡を備えているが、これに限定するものではなく、三面鏡に替えて一面鏡を備える構成としてもよく、少なくとも１以上の鏡を備えていればよい。
【産業上の利用可能性】
【００５０】
本発明は、洗面化粧台に洗面カウンターと共に設置されるミラーキャビネットに利用することができる。
【符号の説明】
【００５１】
１００…洗面化粧台、２００…ミラーキャビネット、２２０…照明カバー、２４０…枠体、２４０ａ…上枠、２４０ｂ…下枠、２４０ｃ…横枠、２４０ｄ…キャップ部材、２４０ｅ…接合部材、２４２…ネジ、２４４…収納トレイ、２６０…背板、２８０…三面鏡、２８０ａ…主鏡、２８０ｂ…袖鏡、４００…梁、３２０…段部、３４０…照明ベース、３４０ａ…前側平面部、３４０ｂ…屈曲接合部、３６０…照明機器、３８０…剛体部、４００…洗面カウンター、４２０…水栓、４４０…洗面ボウル、４６０…排水口、４８０…引出、６００…剛体部、６２０ａ…上枠、６２０ｂ…下枠、６４０…梁、６６０…照明ベース、６６０ａ…前側平面部、６６０ｂ…屈曲接合部
【図１】
2011000337.tif 000003
【図２】
2011000337.tif 000004
【図３】
2011000337.tif 000005
【図４】
2011000337.tif 000006
【図５】
2011000337.tif 000007
【図６】
2011000337.tif 000008